(57)【要約】【課題】きめ細かい部分のフィット感を簡単に判断することができる技術を提供する。【解決手段】フィット感を再現するための表示データ（Ｄ３）を生成する差分量子化部（１７）と、表示データ（３）に対応して、フィット感を色彩のグラデーションを用いて表示する表示装置（３３、４６）とを具備するフィット感判断支援装置を構成する。そのフィット感判断支援装置では、差分量子化部（１７）は、人の立体的な体型を示す体型３次元データ（Ｄ２）と、衣料品の立体的な形状を示す衣料品３次元データ（Ｄ１）とに基づいて、衣料品を記体型に着衣させたときの間隔を示す差分データ（Ｄ４）を生成し、差分データ（Ｄ４）を量子化することによってフィット感を段階で示す表示データ（Ｄ３）を生成する。そして、表示装置（３３、４６）は、段階に対応してフィット感を色彩のグラデーションを用いて表示する。【選択図】図８
2008003850.tif 000002
【特許請求の範囲】
【請求項１】
販売される衣料品を人が着衣した時のフィット感を再現するための表示データを生成する差分量子化部と、
前記表示用データに対応して、前記フィット感を色彩のグラデーションを用いて表示する表示装置と
を具備し、
前記差分量子化部は、
前記人の立体的な体型を示す体型３次元データと、前記衣料品の立体的な形状を示す衣料品３次元データとに基づいて、前記衣料品を記体型に着衣させたときの間隔を示す差分データを生成し、前記差分データを量子化することによって前記フィット感を段階で示す前記表示用データを生成し、
前記表示装置は、
前記段階に対応して前記フィット感を色彩のグラデーションを用いて表示する
フィット感判断支援装置。
【請求項２】
請求項１に記載のフィット感判断支援装置において、
前記差分量子化部は、
前記衣料品３次元データに基づいて再現される擬似衣料品を構成する複数の点を擬似衣料品構成点とし、前記体型３次元データに基づいて再現される擬似体型を構成する複数の点を擬似体型構成点とし、前記擬似衣料品を前記擬似体型に着衣させたときの前記擬似衣料品構成点から前記擬似体型構成点までの距離に基づいて前記差分データを生成する
フィット感判断支援装置。
【請求項３】
請求項２に記載のフィット感判断支援装置において、
前記差分量子化部は、
前記擬似衣料品構成点の各々と前記擬似体型構成点の各々とを線形的に対応させて前記差分データを生成する
フィット感判断支援装置。
【請求項４】
請求項３に記載のフィット感判断支援装置において、さらに、
前記人が着衣したときに着心地がよいと感じる衣料品を好適衣料品としたときに、前記好適衣料品の立体的な形状を示す好適衣料品３次元データを保持し、
前記差分量子化部は、
前記好適衣料品３次元データに基づいて再現した擬似好適衣料品を構成する複数の点を擬似好適衣料品構成点とし、前記擬似好適衣料品を前記擬似体型に着衣させたときに、前記擬似体型構成点から前記擬似好適衣料品構成点までの距離を一定比率で延伸させた点を特定点とし、前記擬似体型構成点から前記特定点までの距離に基づいて前記差分データを生成し、
前記擬似体型構成点に第１表示色を対応させ、
前記擬似好適衣料品構成点に第２表示色を対応させ、
前記特定点に第３表示色を対応させ、
前記第１表示色から前記第２表示色を経由して前記第３表示色へ移行するグラデーションから抽出した色を前記擬似衣料品構成点に対応させて前記表示用データを生成する
フィット感判断支援装置。
【請求項５】
請求項４に記載のフィット感判断支援装置において、
前記差分量子化部は、
前記擬似体型構成点から前記特定点までの距離と前記差分データに示される前記擬似体型構成点から前記擬似衣料品構成点までの距離との比に対応して、前記グラデーションから前記擬似衣料品構成点に表示させる色を抽出して前記表示データを生成する
フィット感判断支援装置。
【請求項６】
請求項５に記載のフィット感判断支援装置において、さらに、
前記衣料品に添付された衣料品３次元データ記憶部から前記衣料品３次元データを読み出すデータ読み出し装置を備え、
前記データ読み出し装置は、
前記衣料品３次元データ記憶部から読み出した前記衣料品３次元データを前記差分量子化部に供給し、
前記差分量子化部は、
前記データ読み出し装置から供給される前記衣料品３次元データの受信に応答して、前記差分データの生成を実行する
フィット感判断支援装置。
【請求項７】
請求項６に記載のフィット感判断支援装置において、
前記データ読み出し装置は、さらに、
前記人が携行する携帯端末に備えられた体型３次元データ記憶部から前記体型３次元データを読み出す機能を有し、
読み出した前記衣料品３次元データと前記体型３次元データとを前記差分量子化部に供給し、
前記差分量子化部は、
前記データ読み出し装置から供給される前記衣料品３次元データと前記体型３次元データとの受信に応答して、前記差分データを生成する
フィット感判断支援装置。
【請求項８】
人に携行され、前記人の立体的な体型を示す体型３次元データを保持する体型３次元データ記憶媒体と、
販売される衣料品に備えられ、前記衣料品の立体的な形状を示す衣料品３次元データを保持する衣料品３次元データ記憶媒体と、
差分量子化プログラムを保持する記憶装置と演算処理装置とを有するサーバと、前記差分量子化プログラムは、前記体型３次元データと前記衣料品３次元データとの差分を示す差分データを生成し、前記差分データに対応して前記人が前記衣料品を着衣した時のフィット感を視覚的に表示するための表示データを生成するための手順を示し、
ネットワークを介して前記サーバに接続され、前記表示データに基づいて前記フィット感を視覚的に表示する表示装置を有するクライアントと
を具備し、
前記演算処理装置は、前記差分量子化プログラムに示される手順に従って、
前記衣料品３次元データに基づいて前記衣料品を再現した擬似衣料品を構成する複数の点を擬似衣料品構成点とし、前記体型３次元データに基づいて前記体型を再現した擬似体型を構成する複数の点を擬似体型構成点としたときに、
前記擬似衣料品を前記擬似体型に着衣させたときの前記擬似衣料品構成点から前記擬似体型構成点までの距離を求め、前記距離に基づいて生成された前記差分データに対応して前記フィット感を段階的に示す表示用データを生成して前記表示用データを、前記ネットワークを介して前記クライアントに提供し、
前記クライアントは、
前記表示用データに対応して、前記フィット感を色彩のグラデーションを用いて前記表示装置に表示する
フィット感判断支援システム。
【請求項９】
請求項８に記載のフィット感判断支援システムにおいて、さらに、
前記衣料品３次元データ記憶媒体から読み出した前記衣料品３次元データを、前記ネットワークを介して前記サーバに供給するデータ読み出し装置を備え、
前記サーバは、
前記データ読み出し装置から供給される前記衣料品３次元データに応答して、前記差分量子化プログラムに示される手順に従って前記差分データを生成する
フィット感判断支援システム。
【請求項１０】
請求項９に記載のフィット感判断支援システムにおいて、
前記データ読み出し装置は、さらに、前記体型３次元データ記憶媒体から前記体型３次元データを読み出す機能を有し、
前記演算処理装置は、
前記データ読み出し装置から供給される前記衣料品３次元データと前記体型３次元データとを受け、前記差分量子化プログラムに示される手順にしたがって前記差分データを生成する
フィット感判断支援システム。
【請求項１１】
請求項１０に記載のフィット感判断支援システムにおいて、
前記演算処理装置は、
前記差分量子化プログラムに示される手順に対応して、前記擬似衣料品構成点の各々と前記擬似体型構成点の各々とを線形的に対応させて前記差分データを生成する
フィット感判断支援システム。
【請求項１２】
請求項１１に記載のフィット感判断支援システムにおいて、
前記サーバは、前記記憶装置に、前記人が着衣したときに着心地がよいと感じる衣料品を好適衣料品とし、前記好適衣料品の立体的な形状を示す好適衣料品３次元データを保持し、
前記演算処理装置は、
前記好適衣料品３次元データに基づいて前記好適衣料品を再現した擬似好適衣料品を形成し、前記擬似好適衣料品を構成する複数の点を擬似好適衣料品構成点とし、
前記差分量子化プログラムに示される手順に対応して、前記擬似好適衣料品を前記擬似体型に着衣させたときに、前記擬似体型構成点から前記擬似好適衣料品構成点までの距離を一定比率で延伸させた点を特定点とし、前記擬似体型構成点から前記特定点までの距離に基づいて前記差分データを生成し、
前記擬似体型構成点に第１表示色を対応させ、
前記擬似好適衣料品構成点に第２表示色を対応させ、
前記特定点に第３表示色を対応させ、
前記第１表示色から前記第２表示色を経由して前記第３表示色へ移行するグラデーションを構成する複数の色から抽出した色を、前記擬似衣料品構成点に対応させて前記表示用データを生成する
フィット感判断支援システム。
【請求項１３】
請求項１２に記載のフィット感判断支援システムにおいて、
前記演算処理装置は、
前記差分量子化プログラムに示される手順に従って、
前記擬似体型構成点から前記特定点までの距離と前記差分データに示される前記擬似体型構成点から前記擬似衣料品構成点までの距離との比を求め、前記比に対応して前記グラデーションから前記擬似衣料品構成点に表示させる色を抽出して前記表示データを生成する
フィット感判断支援システム。
【請求項１４】
人の立体的な体型を示す体型３次元データと販売される衣料品の立体的な形状を示す衣料品３次元データとを保持するサーバと、
前記衣料品に付随し、前記衣料品３次元データが保持されているデータ保持領域のアドレスを示す第１バーコードと、
前記衣料品の購入予定者に付随し、前記体型３次元データが保持されているデータ保持領域のアドレスを示す第２バーコードと
ネットワークを介して前記サーバに接続され、前記第１バーコードと前記第２バーコードに示される前記アドレスを前記サーバに通知する携帯端末と、
を具備し、
前記サーバは、
前記アドレスに対応してデータを抽出するデータ抽出部と、
前記体型３次元データと前記衣料品３次元データとの差分を示す差分データを生成し、前記差分データに対応して前記人が前記衣料品を着衣した時のフィット感を視覚的に表示するための表示データを生成する差分量子化部と
を備え、
前記データ抽出部は、
前記第１バーコードに基づいて前記データベースから読み出した記体型３次元データと、前記第２バーコードに基づいて前記データベースから読み出した前記衣料品３次元データとを前記差分算出部に提供し、
前記差分量子化部は、
提供された前記体型３次元データと前記衣料品３次元データとに応答して、前記差分データを生成し、前記差分データに対応して前記表示データを生成し、前記表示データに対応して前記フィット感を視覚的に表示するための画像表示Ｗｅｂページを生成し、
前記携帯端末は、
前記画像表示Ｗｅｂページを読み出し、前記画像表示Ｗｅｂページに基づいて前記フィット感を色彩のグラデーションを用いて表示する
フィット感判断支援システム。
【請求項１５】
請求項１４に記載のフィット感判断支援システムにおいて、
前記サーバはさらに演算処理装置を備え、
前記演算処理装置は、
前記衣料品３次元データに基づいて前記衣料品を再現した擬似衣料品と、前記体型３次元データに基づいて前記体型を再現した擬似体型とを形成し、
前記擬似衣料品を構成する複数の点を擬似衣料品構成点とし、前記擬似体型を構成する複数の点を擬似体型構成点とし、
前記差分量子化部は、
前記擬似衣料品を前記擬似体型に着衣させたときの前記擬似衣料品構成点から前記擬似体型構成点までの距離に基づいて前記差分データを生成し、前記差分データに対応して、前記フィット感を段階的に示す表示用データを生成する
フィット感判断支援システム。
【請求項１６】
請求項１５に記載のフィット感判断支援システムにおいて、
前記携帯端末は、さらに、
前記第１バーコードと前記第２バーコードとを撮像する撮像装置を備え、
前記携帯端末は、
前記撮像装置で撮像した前記第１バーコードと前記第２バーコードとを前記ネットワークを介して前記サーバに送信し、
前記サーバは、受信した前記第１バーコードと前記第２バーコードとに応答して、前記体型３次元データと前記衣料品３次元データとを前記差分算出部に提供する
フィット感判断支援システム。
【発明の詳細な説明】
【技術分野】
【０００１】
本発明は、試着することなく衣料品の着心地を判断するためのフィット感判断支援システムに関する。
【背景技術】
【０００２】
人体の立体形状のデータ（以下、体型３次元データと呼ぶ）と衣料品の立体形状のデータ（以下、衣料品３次元データと呼ぶ）とを用いて、コンピュータ処理によって、その衣料品を着衣したときの状態を確認する技術（以下、３次元試着システムと呼ぶ）が知られている（例えば、特許文献１〜５参照。）。
【０００３】
特許文献１には、販売場所に行かなくとも衣料・装身具が映像上で試着できる試着システムの関する技術を開示している。特許文献１の技術において、その試着システムは、顧客端末と、衣料情報のデータベースを有する情報管理用のサーバと、体型データ採取手段とを備えて構成されている。これらはネットワークを介してデータの送受可能な構成を有する。そして、情報管理用サーバは、受信した体型データを基に、三次元画像を作成すると共に、この三次元画像と衣料情報とを合成した画像を作成し、顧客端末に合成画像情報を送信している。
【０００４】
特許文献２には、インターネット通信販売において顧客のプライバシーを守り、顧客の顔や体型データと商品提供側の商品情報を合成する技術が開示されている。特許文献２に記載の技術は、様々なコーディネートを表示し顧客の商品選択が的確に行われることを支援することを目的としている。特許文献２に記載の技術では、インターネットを通じて商品提供側から提供される商品情報（顧客が身に着ける衣服、装身具、眼鏡、化粧、髪型などの商品。）と顧客の記録装置内に記録された顧客の情報（顔写真、体型情報など）を画像合成する機能を有するソフトウェアによって仮想的に身に着けた状態を表示している。
【０００５】
特許文献３には、カタログショッピングに新たに「試着」の概念を設けることによって、カタログショッピングであっても試着して見ることが出来、そのアイテムが自分にフィットするものであるか否かなどをその場でチェックすることを可能にする技術が開示されている。特許文献３に記載には、入力デバイスを用いて選択させたカタログ中のアイテムについて、これをマネキンに着用させた状態で表示する技術が開示されている。また、ユーザーの顔写真を取得してこの顔写真をマネキンの顔の部分に表示することで、試着にかえる技術が開示されている。また、ユーザの身体寸法の実測値を取得し、この実測値に合わせて前記アイテムを変形表示する技術や、ユーザの身体寸法の実測値を取得し、この実測値と選択されたアイテムの属性であるサイズデータとの比較表示を行なう技術が開示されている。
【０００６】
特許文献４には、インターネット上で販売されている衣類を購入する際、特に、購入者の身体にどの程度フィットしているかの情報を提供することで、不安なく購入できるようにした電子商取引に好適な衣類の販売システムに関する技術が開示されている。特許文献４に開示されている技術では、衣類を電子商取引で販売する衣類の販売システムにおいて、前記衣類を販売するために設けられたサーバ上に、顧客が購入を希望する商品情報と顧客から提供された顧客自身の身体の各部のデータとに基づいて、当該商品を顧客が試着した時のイメージを示す３次元の試着イメージを生成する第１の手段と、当該商品の顧客の身体へのフィット状態を示すフィットグラフを生成する第２の手段とを備えている。そして、前記第１の手段及び第２の手段で生成された情報を、顧客に提供している。
【０００７】
特許文献５には、きめ細かな仮想試着を行うことができる電子的商取引システムに関する技術が開示されている。特許文献５に記載の技術では、販売者側には、仮想試着に用いる商品の各部位の測定値及び購入者の身体の各部位の測定値が登録されたデータベースが備えられている。購入者は、購入者側の端末を操作し販売者側に設けられた仮想店舗内で、試着を伴う商品の各部位のサイズの測定値及びその商品に対応する購入者の身体の各部位のサイズの測定値をデータベースから取得する。特許文献には、その取得した測定値を比較して、その商品の購入者に対するフィット具合を判定し、その判定結果を仮想試着結果として、購入者側の端末に提示する技術が開示されている。
【０００８】
これらのような構成を有する従来の３次元試着システムでは、衣服の購入希望者は、衣服の映像データと購入希望者の映像データを合成した映像を見て、その衣服の色や、着丈のような大まかな衣服サイズの判断を実行している。つまり、従来の３次元試着システムでは、購入予定者の映像（体型）に衣料を重ねた３次元合成映像データを表示させ、購入予定者の目視で、自分の体合ったものかどうかを、購入予定者自身に判断させている。このような技術によって、デザインやカラーコーディネート、着丈といったある程度自分にあったものかどうかの大まかな判断をすることができる。
【０００９】
【特許文献１】特開２００３−４１４２１号広報
【特許文献２】特開２００３−２０５１２号広報
【特許文献３】特開２００２−１８３５４２号広報
【特許文献４】特開２００２−１６３５００号広報
【特許文献５】特開平１１−２６５２４３号広報
【発明の開示】
【発明が解決しようとする課題】
【００１０】
衣服を着衣した場合に、「着心地がいい」と感じるのは、衣服の微妙なフィット感も大きく影響する要素の一つである。購入予定者の体型を包含する規格サイズ（例えばＭサイズ、Ｌサイズ）のシャツやズボン、下着を購入しても、メーカーによって、形状や大きさに若干の違いが存在する。また、同じメーカー、同じ規格サイズであっても、デザイン異なると、衣服の微妙なフィット感は異なってくる。
【００１１】
ある部分がゆるい、きつい、丈が短い、長い等自分に合わなくて失敗したという経験は誰しも経験しているだろう。従来のサービスでは、こうした失敗を防止できるレベルで、購入予定者へ衣服の微妙なフィット感を表現し、簡単に判断させることができる技術がもとめられている。
【００１２】
本発明が解決しようとする課題は、従来の３次元試着システムでは困難であった、きめ細かい部分のフィット感を簡単に判断することができる技術を提供することにある。
【課題を解決するための手段】
【００１３】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１４】
上記課題を解決するために、販売される衣料品を人が着衣した時のフィット感を再現するための表示データ（Ｄ３）を生成する差分量子化部（１７）と、前記表示データ（３）に対応して、前記フィット感を色彩のグラデーションを用いて表示する表示装置（３３、４６）とを具備するフィット感判断支援装置を構成する。そのフィット感判断支援装置では、前記差分量子化部（１７）は、前記人の立体的な体型を示す体型３次元データ（Ｄ２）と、前記衣料品の立体的な形状を示す衣料品３次元データ（Ｄ１）とに基づいて、前記衣料品を記体型に着衣させたときの間隔を示す差分データ（Ｄ４）を生成し、前記差分データ（Ｄ４）を量子化することによって前記フィット感を段階で示す前記表示データ（Ｄ３）を生成する。そして、前記表示装置（３３、４６）は、前記段階に対応して前記フィット感を色彩のグラデーションを用いて表示する。
【００１５】
また、そのフィット感判断支援装置において、前記差分量子化部（１７）は、前記衣料品３次元データ（Ｄ１）に基づいて再現される擬似衣料品を構成する複数の点を擬似衣料品構成点とする。そして、前記体型３次元データ（Ｄ２）に基づいて再現される擬似体型を構成する複数の点を擬似体型構成点とする。ここで、前記差分量子化部（１７）は、前記擬似衣料品を前記擬似体型に着衣させたときの前記擬似衣料品構成点から前記擬似体型構成点までの距離に基づいて前記差分データ（Ｄ４）を生成する。また、そのフィット感判断支援装置において、前記差分量子化部（１７）は、前記擬似衣料品構成点の各々と前記擬似体型構成点の各々とを線形的に対応させて前記差分データ（Ｄ４）を生成する。
【００１６】
そのフィット感判断支援装置において、さらに、前記人が着衣したときに着心地がよいと感じる衣料品を好適衣料品として、前記好適衣料品の立体的な形状を示す好適衣料品３次元データ（Ｄ５）を保持する構成であっても良い。この場合において、前記差分量子化部（１７）は、前記好適衣料品３次元データ（Ｄ５）に基づいて再現した擬似好適衣料品を構成する複数の点を、擬似好適衣料品構成点とする。そして、前記擬似好適衣料品を前記擬似体型に着衣させたときに、前記擬似体型構成点から前記擬似好適衣料品構成点までの距離を一定比率で延伸させた点を特定点とする。その上で、前記擬似体型構成点から前記特定点までの距離に基づいて前記差分データ（Ｄ４）を生成する。
このような構成のもと、前記擬似体型構成点に第１表示色を対応させる。また、前記擬似好適衣料品構成点には第２表示色を対応させる。さらに、前記特定点に第３表示色を対応させる。そして、前記第１表示色から前記第２表示色を経由して前記第３表示色へ移行するグラデーションから抽出した色を前記擬似衣料品構成点に対応させて前記表示データ（Ｄ３）を生成する。
【００１７】
そのフィット感判断支援装置において、前記差分量子化部（１７）は、前記擬似体型構成点から前記特定点までの距離と前記差分データ（Ｄ４）に示される前記擬似体型構成点から前記擬似衣料品構成点までの距離との比に対応して、前記グラデーションから前記擬似衣料品構成点に表示させる色を抽出して前記表示データ（Ｄ３）を生成する。
【００１８】
そのフィット感判断支援装置において、さらに、前記衣料品に添付された衣料品３次元データ（Ｄ１）記憶部から前記衣料品３次元データ（Ｄ１）を読み出すデータ読み出し装置（８，９）を備える構成であっても良い。この場合において、前記データ読み出し装置（８，９）は、前記衣料品３次元データ（Ｄ１）記憶部から読み出した前記衣料品３次元データ（Ｄ１）を前記差分量子化部（１７）に供給する。前記差分量子化部（１７）は、前記データ読み出し装置（８，９）から供給される前記衣料品３次元データ（Ｄ１）の受信に応答して、前記差分データ（Ｄ４）の生成を実行する。
【００１９】
そのフィット感判断支援装置において、前記データ読み出し装置（８，９）は、さらに、
前記人が携行する体携帯端末（６）に備えられた体型３次元データ記憶部（７）から前記体型３次元データ（Ｄ２）を読み出す機能を有するものであることが好ましい。ここにおいて、体型３次元データ記憶部（７）は、読み出した前記衣料品３次元データ（Ｄ１）と前記体型３次元データ（Ｄ２）とを前記差分量子化部（１７）に供給する。そして、前記差分量子化部（１７）は、前記データ読み出し装置（８，９）から供給される前記衣料品３次元データ（Ｄ１）と前記体型３次元データ（Ｄ２）との受信に応答して、前記差分データ（Ｄ４）を生成する。
【００２０】
上記課題を解決するために、以下のようなフィット感判断支援システムを構成する。そのフィット感判断支援システムは、人に携行される体型３次元データ記憶媒体（７）と、販売される衣料品に備えられる衣料品３次元データ記憶媒体（５）と、記憶装置（２７）と演算処理装置（２４）とを有するサーバ（１）と、ネットワーク（３）を介して前記サーバ（１）に接続され、前記表示データ（Ｄ３）に基づいて前記フィット感を視覚的に表示する表示装置（３３、４６）を有するクライアント（２）とを具備している。
体型３次元データ記憶媒体（７）は、前記人の立体的な体型を示す体型３次元データ（Ｄ２）を保持している。衣料品３次元データ記憶媒体（５）、前記衣料品の立体的な形状を示す衣料品３次元データ（Ｄ１）を保持している。記憶装置（２７）は、差分量子化プログラム（１７）を保持している。ここにおいて、前記差分量子化プログラム（１７）は、前記体型３次元データ（Ｄ２）と前記衣料品３次元データ（Ｄ１）との差分を示す差分データ（Ｄ４）を生成し、前記差分データ（Ｄ４）に対応して前記人が前記衣料品を着衣した時のフィット感を視覚的に表示するための表示データ（Ｄ３）を生成するための手順を示すコンピュータプログラムである。
このような構成において、前記演算処理装置（２４）は、前記差分量子化プログラム（１７）に示される手順に従って、前記衣料品３次元データ（Ｄ１）に基づいて前記衣料品を再現した擬似衣料品を構成する。その擬似衣料品は複数の点の集合として構成される。これらの点を擬似衣料品構成点とする。同様に、前記体型３次元データ（Ｄ２）に基づいて前記体型を再現した擬似体型を構成する。擬似体型は複数の点の集合として構成される。それらの点を擬似体型構成点とする。
ここにおいて、前記擬似衣料品を前記擬似体型に着衣させたときの前記擬似衣料品構成点から前記擬似体型構成点までの距離を求め、前記距離に基づいて生成された前記差分データ（Ｄ４）に対応して前記フィット感を段階的に示す表示データ（Ｄ３）を生成して前記表示データ（Ｄ３）を、前記ネットワーク（３）を介して前記クライアント（２）に提供する。
そして、前記クライアント（２）は、前記表示データ（Ｄ３）に対応して、前記フィット感を色彩のグラデーションを用いて前記表示装置（３３、４６）に表示する。
【００２１】
そのフィット感判断支援システムにおいて、さらに、
前記衣料品３次元データ記憶媒体（５）から読み出した前記衣料品３次元データ（Ｄ１）を、前記ネットワーク（３）を介して前記サーバ（１）に供給するデータ読み出し装置（８，９）を備える構成であってもよい。ここにおいて、前記サーバ（１）は、前記データ読み出し装置（８，９）から供給される前記衣料品３次元データ（Ｄ１）に応答して、前記差分量子化プログラム（１７）に示される手順に従って前記差分データ（Ｄ４）を生成する。
【００２２】
そのフィット感判断支援システムにおいて、前記データ読み出し装置（８，９）は、さらに、前記体型３次元データ記憶媒体（７）から前記体型３次元データ（Ｄ２）を読み出す機能を有する構成であることが好ましい。前記演算処理装置（２４）は、前記データ読み出し装置（８，９）から供給される前記衣料品３次元データ（Ｄ１）と前記体型３次元データ（Ｄ２）とを受け、前記差分量子化プログラム（１７）に示される手順にしたがって前記差分データ（Ｄ４）を生成する。
【００２３】
そのフィット感判断支援システムにおいて、前記演算処理装置（２４）は、前記差分量子化プログラム（１７）に示される手順に対応して、前記擬似衣料品構成点の各々と前記擬似体型構成点の各々とを線形的に対応させて前記差分データ（Ｄ４）を生成する。
【００２４】
そのフィット感判断支援システムにおいて、前記サーバ（１）は、前記記憶装置（２７）に、前記人が着衣したときに着心地がよいと感じる好適衣料品とし、前記好適衣料品の立体的な形状を示す好適衣料品３次元データ（Ｄ５）を保持する構成であっても良い。この場合において、前記演算処理装置（２４）は、前記好適衣料品３次元データ（Ｄ５）に基づいて前記好適衣料品を再現した擬似好適衣料品を形成する。そして、前記擬似好適衣料品を構成する複数の点を擬似好適衣料品構成点とする。そして、前記差分量子化プログラム（１７）に示される手順に対応して、前記擬似好適衣料品を前記擬似体型に着衣させたときの、前記擬似体型構成点から前記擬似好適衣料品構成点までの距離を、一定比率で延伸させた点を特定点とする。このような動作に対応して、前記擬似体型構成点から前記特定点までの距離に基づいて前記差分データ（Ｄ４）を生成する。そのうえで、前記擬似体型構成点に第１表示色を対応させる。また、前記擬似好適衣料品構成点に第２表示色を対応させる。さらに、前記特定点に第３表示色を対応させる。そして、前記第１表示色から前記第２表示色を経由して前記第３表示色へ移行するグラデーションを構成する複数の色から抽出した色を、前記擬似衣料品構成点に対応させて前記表示データ（Ｄ３）を生成する。
【００２５】
そのフィット感判断支援システムにおいて、前記演算処理装置（２４）は、
前記差分量子化プログラム（１７）に示される手順に従って、前記擬似体型構成点から前記特定点までの距離を求める。同様に、前記差分データ（Ｄ４）に示される前記擬似体型構成点から前記擬似衣料品構成点までの距離を求める。そして各々の距離の比を求め、前記比に対応して前記グラデーションから前記擬似衣料品構成点に表示させる色を抽出して前記表示データ（Ｄ３）を生成する。
【００２６】
上記課題を解決するために、人の立体的な体型を示す体型３次元データ（Ｄ２）と販売される衣料品の立体的な形状を示す衣料品３次元データ（Ｄ１）とを保持するサーバ（１）と、前記衣料品に付随し、前記衣料品３次元データ（Ｄ１）が保持されているデータ保持領域（１５）のアドレスを示す第１バーコード（Ｂ１）と、前記衣料品の購入予定者に付随し、前記体型３次元データ（Ｄ２）を保持しているデータ保持領域（１６）のアドレスを示す第２バーコード（Ｂ２）と、ネットワーク（３）を介して前記サーバ（１）に接続され、前記第１バーコードと前記第２バーコードに示される前記アドレスを前記サーバに通知する体携帯端末（６）とを具備するフィット感判断支援システムを構成する。
ここにおいて、前記サーバ（１）は、データ抽出部（５４）と、前記体型３次元データ（Ｄ２）と前記衣料品３次元データ（Ｄ１）との差分を示す差分データ（Ｄ４）を生成し、前記差分データ（Ｄ４）に対応して前記人が前記衣料品を着衣した時のフィット感を視覚的に表示するための表示データ（Ｄ３）を生成する差分量子化部（１７）とを備えていることが好ましい。
前記データ抽出部は、前記第１バーコード（Ｂ１）に基づいて前記データベースから読み出した記体型３次元データ（Ｄ２）と、前記第２バーコード（Ｂ２）に基づいて前記データベースから読み出した前記衣料品３次元データ（Ｄ１）とを前記差分量子化部（１７）に提供する。
前記差分量子化部（１７）は、提供された前記体型３次元データ（Ｄ２）と前記衣料品３次元データ（Ｄ１）とに応答して、前記差分データ（Ｄ４）を生成し、前記差分データ（Ｄ４）に対応して前記表示データ（Ｄ３）を生成し、前記表示データ（Ｄ３）に対応して前記フィット感を視覚的に表示するための画像表示Ｗｅｂページを生成する。
前記体携帯端末（６）は、前記画像表示Ｗｅｂページを読み出し、前記画像表示Ｗｅｂページに基づいて前記フィット感を色彩のグラデーションを用いて表示する。
【００２７】
そのフィット感判断支援システムにおいて、前記サーバ（１）はさらに演算処理装置（２４）を備える構成であっても良い。前記演算処理装置（２４）は、前記衣料品３次元データ（Ｄ１）に基づいて前記衣料品を再現した擬似衣料品と、前記体型３次元データ（Ｄ２）に基づいて前記体型を再現した擬似体型とを形成する。そして、前記擬似衣料品を構成する複数の点を擬似衣料品構成点とし、前記擬似体型を構成する複数の点を擬似体型構成点とする。
この場合において、前記差分量子化部（１７）は、前記擬似衣料品を前記擬似体型に着衣させたときの前記擬似衣料品構成点から前記擬似体型構成点までの距離に基づいて前記差分データ（Ｄ４）を生成し、前記差分データ（Ｄ４）に対応して、前記フィット感を段階的に示す表示データ（Ｄ３）を生成する。
【００２８】
そのフィット感判断支援システムにおいて、前記体携帯端末（６）は、さらに、
前記第１バーコード（Ｂ１）と前記第２バーコード（Ｂ２）とを撮像する撮像装置を備える構成であることが好ましい。前記体携帯端末（６）は、前記撮像装置で撮像した前記第１バーコード（Ｂ１）と前記第２バーコード（Ｂ２）からデータベース（１５，１６）のアドレスを読み出し、そのアドレスを、前記ネットワーク（３）を介して前記サーバ（１）に送信する。前記サーバ（１）は、受信した前記第１バーコード（Ｂ１）と前記第２バーコード（Ｂ２）とに応答して、前記体型３次元データ（Ｄ２）と前記衣料品３次元データ（Ｄ１）とを前記差分算出部に提供する。
【発明の効果】
【００２９】
本発明によると、試着が困難な衣料品の購入や、通信販売による衣料品の購入において、きめ細かい部分のフィット感を簡単に判断することができる。
【００３０】
本発明では、衣料品のフィット感、つまり自分の体型に極端に合わない箇所がないかを、衣料品３次元データＤ１を座標軸として、体型３次元データＤ２と衣料品３次元データＤ１との差分（隙間の長さ）の色表示のグラデーションによって、表現するようにしている。
【００３１】
また、本発明によると、通信販売や下着など、試着して確認することができない衣料品を購入する際に、購入者は衣服の微妙なフィット感を色のグラデーションで確認することができ、衣服購入後に実際に着用して自分の体型に極端に合わないといったトラブルを未然に防ぐことができる。これによって、購入希望者がその衣料品が自分の体型にフィットしているかを簡単に判断できる。
【００３２】
また、本発明によると、購入希望者の体型３次元データＤ２と衣料品３次元データＤ１とを、例えば、それぞれ起立姿勢と着座姿勢というように複数データをＩＣタグに保持しておくこともできる。そのため、起立姿勢では、その衣料品がちょうどフィットしていても、着座した時には、ある部分が窮屈であること場合についても、購入希望者が簡単に判断することができるようにすることもできる。
【発明を実施するための最良の形態】
【００３３】
[第１の実施形態]
以下に、図面を参照して本発明を実施するための形態について説明を行う。本実施形態のフィット感判断支援システムは、衣料品３次元データＤ１を生成するための衣料品３次元データ生成領域Ｒ１と、体型３次元データＤ２を生成するための体型３次元データ生成領域Ｒ２と、フィット感を判断するためのフィット感判断領域Ｒ３とを含んで構成されている。
【００３４】
図１は、第１の実施形態のフィット感判断支援システムの構成を例示するブロック図である。図１を参照すると、本実施形態において、衣料品３次元データ生成領域Ｒ１と体型３次元データ生成領域Ｒ２とフィット感判断領域Ｒ３とは、ネットワーク３を介して接続されている。
【００３５】
図１に示されているように、衣料品３次元データ生成領域Ｒ１は、衣料品３次元形状計測装置１１と衣料品データ書き込み装置１３とを含んで構成されている。衣料品３次元形状計測装置１１は、衣料品１０の立体的な形状を３次元データ化した衣料品３次元データＤ１を生成する。衣料品データ書き込み装置１３は、その衣料品３次元形状計測装置１１に接続されている。衣料品データ書き込み装置１３は、携帯端末６の体型データ記憶装置７にデータを書き込む機能を備えている。衣料品３次元データ生成領域Ｒ１において、衣料品データ書き込み装置１３は、衣料品３次元形状計測装置１１から出力される衣料品３次元データＤ１を、体型データ記憶装置７に書き込んでいる。
【００３６】
体型３次元データ生成領域Ｒ２は、人体３次元形状計測装置１２と体型データ書き込み装置１４とを含んで構成されている。人体３次元形状計測装置１２は、人間の立体的な体型を３次元データ化した体型３次元データＤ２を生成する。体型データ書き込み装置１４は、その人体３次元形状計測装置１２に接続されている。体型データ書き込み装置１４は、商品ラベル４に添付される衣料品ＩＣタグ５にデータを書き込む機能を備えている。体型３次元データ生成領域Ｒ２において、体型データ書き込み装置１４は、人体３次元形状計測装置１２から出力される体型３次元データＤ２を商品ラベル４の衣料品ＩＣタグ５に書き込んでいる。
【００３７】
フィット感判断領域Ｒ３はサーバコンピュータシステム１と、クライアントコンピュータシステム２と、衣料品３次元データ読み出し装置８と体型３次元データ読み出し装置９を含んで構成されている。またフィット感判断領域Ｒ３では、商品ラベル４添付された衣料品ＩＣタグ５と、携帯端末６に備えられた体型データ記憶装置７とを用いられることによって、フィット感判断が実行されている。
【００３８】
サーバコンピュータシステム１は、衣料品の購入予定者が、購入予定の衣料品を着衣した時のフィット感を、計算機上に再現するための演算を実行している。クライアントコンピュータシステム２は、サーバコンピュータシステム１から送られてくるデータに対応して、表示画面上に購入予定の衣料品を着衣した時のフィット感を表現している。
【００３９】
衣料品３次元データ読み出し装置８は、衣料品ＩＣタグ５に格納されている衣料品３次元データＤ１を読み出し、その衣料品３次元データＤ１をクライアントコンピュータシステム２に送信している。衣料品３次元データ読み出し装置８は、有線または無線通信回線を介してクライアントコンピュータシステム２に接続されている。衣料品３次元データ読み出し装置８は、接触式または非接触式の読み取り方式を使用して商品ラベル４の衣料品ＩＣタグ５から衣料品３次元データＤ１を読み出している。
【００４０】
体型３次元データ読み出し装置９は、体型データ記憶装置７に備えられている体型３次元データＤ２を読み出し、その体型３次元データＤ２を体型３次元データ読み出し装置９に送信している。体型３次元データ読み出し装置９は、有線または無線通信回線を介してクライアントコンピュータシステム２に接続されている。ここにおいて、体型データ記憶装置７は、携帯端末６の内部のメモリであることが好ましい。体型３次元データ読み出し装置９は、無線電波、赤外線通信および有線通信を使用して携帯端末６とデータの送受信を実行している。
【００４１】
図２は、衣料品３次元データＤ１を生成する衣料品３次元データ生成領域Ｒ１のシステム構成を例示するブロック図である。上述のように、衣料品３次元データ生成領域Ｒ１には、衣料品３次元データＤ１を生成する衣料品３次元形状計測装置１１と、その衣料品３次元形状計測装置１１から出力される衣料品３次元データＤ１を、商品ラベル４に書き込む機能を有する衣料品データ書き込み装置１３とが備えられている。
【００４２】
衣料品３次元形状計測装置１１は、販売される衣料品１０の立体的な形状を測定し、その形状を示す衣料品３次元データＤ１を生成している。衣料品３次元形状計測装置１１は、立体形状を保持している衣料品１０に対し、輪切り状に形状の測定を実行して、その衣料品１０を３次元データへ数値化していく。
【００４３】
本実施形態において、その衣料品１０の立体形状を保持する方法に制限は無い。例えば、送風機から送られる空気によって伸縮的に人体の形状を構成する風船状のマネキン人形のようなものに、該当衣料品を着させて風を送り込み、該当衣料品の隙間ない３次元の形を作り上げることによって、衣料品１０の理想的な立体形状を構成することができる。また、表面から外側に向かって空気を噴出すようなマネキン人形を構成し、そのマネキン人形に衣料品１０を着衣させる。そして、マネキン人形と衣料品１０との間に空気の層を形成し、なるべく衣料品１０に皺が発生しないようなときに、衣料品１０の立体形状を計測するような構成であっても良い。さらには、衣料品１０が立体裁断によって構成されている場合、型紙のデータから計算によって衣料品３次元データＤ１を求める構成であっても良い。
【００４４】
衣料品データ書き込み装置１３は、この衣料品３次元形状計測装置１１と有線または無線通信によって接続されている。衣料品３次元形状計測装置１１によって生成された衣料品３次元データＤ１は、その衣料品データ書き込み装置１３に送られる。衣料品データ書き込み装置１３は、計測対象の衣料品１０に添付される商品ラベル４の衣料品ＩＣタグ５に、衣料品３次元データＤ１を格納する。衣料品３次元データＤ１を格納した衣料品ＩＣタグ５を備えている商品ラベル４は、量産される同一形状の衣料品１０の各々に添付される。また、衣料品データ書き込み装置１３は、衣料品３次元データＤ１をネットワーク３を介してサーバコンピュータシステム１に送信する。
【００４５】
図３は、体型３次元データＤ２を生成する体型３次元データ生成領域Ｒ２のシステム構成を例示するブロック図である。上述のように、体型３次元データ生成領域Ｒ２には、体型３次元データＤ２を生成する人体３次元形状計測装置１２と、その人体３次元形状計測装置１２から出力される体型３次元データＤ２を携帯端末６に書き込む機能を有する体型データ書き込み装置１４とを含んで構成されている。図３を参照すると、
人体３次元形状計測装置１２は、人の立体的な体型を測定し、その形状を示す体型３次元データＤ２を生成している。人体３次元形状計測装置１２は、衣料品３次元形状計測装置１１と同様に、人体の立体的な形状を頭からつま先まで輪切り状に捜査し、その捜査の結果に対応して人体の形状を３次元データへ数値化していく。本実施形態において、体型３次元データＤ２は、実際の着用場面に合った複数のデータを含んで構成されることが好ましい。例えば、下着購入の場合に用いられる裸体のデータ、スーツ購入の場合に用いられるワイシャツと下着のパンツとを着衣した場合のデータおよびコート購入の場合に用いられるスーツを着用した場合のデータなど含む。また、体型３次元データＤ２を生成する場合、人体３次元形状計測装置１２は、起立姿勢のユーザに対して人体計測を実行する。さらに、複数の姿勢（例えば、イスに着座姿勢など）を含んで構成されることで、様々な姿勢におけるフィット感を確認することが可能となる。
【００４６】
体型データ書き込み装置１４は、この人体３次元形状計測装置１２と有線または無線通信で接続されている。人体３次元形状計測装置１２によって生成された体型３次元データＤ２は、その体型データ書き込み装置１４へ送られる。体型データ書き込み装置１４は、人体計測を行ったユーザの携行される携帯端末６の体型データ記憶装置７に体型３次元データＤ２を格納する。ここにおいて、体型データ書き込み装置１４は、ネットワーク３を介して体型３次元データＤ２をサーバコンピュータシステム１に送信する。
【００４７】
図４は、フィット感判断領域Ｒ３のシステム構成を例示するブロック図である。上述のように、フィット感判断領域Ｒ３は、サーバコンピュータシステム１と、クライアントコンピュータシステム２と含んで構成され、それらはネットワーク３を介して接続されている。また、クライアントコンピュータシステム２は衣料品３次元データ読み出し装置８と体型３次元データ読み出し装置９とに接続されている。
【００４８】
図４を参照すると、サーバコンピュータシステム１は、サーバコンピュータ本体２１と、入力装置２２と、出力装置２３とを含んで構成されている。サーバコンピュータ本体２１は、入力された情報に対して所定の演算処理を実行して出力する装置である。図４に示されているように、サーバコンピュータ本体２１は、ＣＰＵ２４と、メモリ２５と、ＮＩＣ２６とＨＤＤ２７とを含んで構成され、それらはバス２８を介して接続されている。
【００４９】
入力装置２２は、サーバコンピュータ本体２１にデータを入力する機能を備えているマンマシンインターフェースであり、キーボードやマウスなどがその代表として例示される。出力装置２３は、サーバコンピュータ本体２１の処理結果を外部に出力する機能を備えたマンマシンインターフェースであり、液晶ディスプレイや音声出力装置などがその代表として例示される。
【００５０】
ＣＰＵ２４は、サーバコンピュータ本体２１に備えられた各種装置の制御や入出力されるデータの処理を行っている。例えば、ＣＰＵ２４は、入力装置２２から受け取ったデータを解釈して演算し、その演算結果を出力装置２３に出力している。メモリ２５は、データの書き込みと読み出しができる記憶媒体である。ＮＩＣ２６（Ｎｅｔｗｏｒｋ  Ｉｎｔｅｒｆａｃｅ  Ｃａｒｄ）は、サーバコンピュータ本体２１とネットワーク３との間に設けられ、ネットワーク３とサーバコンピュータ本体２１との間で実行されるデータの送受信を制御している。
【００５１】
ＨＤＤ２７（Ｈａｒｄ  Ｄｉｓｋ  Ｄｒｉｖｅ）は、本実施形態に使用されるコンピュータプログラムやデータを格納している。図４に示されているように、ＨＤＤ２７は、第１データベース１５と、第２データベース１６と、差分量子化プログラム１７と、最適衣料品データ生成プログラム２０と、衣料品３次元データＤ１と、量子化衣料品３次元データＤ３と、最適衣料品３次元データＤ５とを含んで構成されている。
【００５２】
第１データベース１５は、衣料品データ書き込み装置１３から送信される衣料品３次元データＤ１を保持している。同様に、第２データベース１６は、体型データ書き込み装置１４から送信される体型３次元データＤ２を保持している。また、量子化衣料品３次元データＤ３と最適衣料品３次元データＤ５は、ユーザが衣料品１０を着衣したときのフィット感の判断に使用されるデータである。差分量子化プログラム１７は、量子化衣料品３次元データＤ３を生成するための手順を示すコンピュータプログラムであり、最適衣料品データ生成プログラム２０は、最適衣料品３次元データＤ５を生成するための手順を示すコンピュータプログラムである。
【００５３】
図４を参照すると、クライアントコンピュータシステム２は、クライアントコンピュータ本体３１と、入力装置３２と、出力装置３３とを含んで構成されている。また、図４に示されているように、クライアントコンピュータ本体３１は、ＣＰＵ３４と、メモリ３５と、ＮＩＣ３６と、ＨＤＤ３７とを含んで構成され、それらはバス３８を介して接続されている。
【００５４】
クライアントコンピュータ本体３１は、ネットワーク３を介して入力された情報に対して所定の演算処理を実行して出力する装置である。本実施形態において、クライアントコンピュータ本体３１は、サーバコンピュータ本体２１から供給される量子化衣料品３次元データＤ３に応答して、ユーザが衣料品１０を着衣したときのフィット感を判断するために用いられるデータを生成する。
【００５５】
入力装置３２は、クライアントコンピュータシステム２に備えられ、クライアントコンピュータ本体３１にデータを入力する機能を備えているマンマシンインターフェースである。入力装置３２は、キーボードやマウスなどに例示されるような、データ入力機能を備えている。入力装置３２は、ユーザの操作に対応してクライアントコンピュータ本体３１にデータを供給する。
【００５６】
出力装置３３は、クライアントコンピュータシステム２に備えられ、クライアントコンピュータ本体３１の処理結果を外部に出力する機能を備えたマンマシンインターフェースである。出力装置３３としては、液晶ディスプレイや音声出力装置などがその代表として例示される。本実施形態において、出力装置３３は、サーバコンピュータシステム１から送信される量子化衣料品３次元データＤ３に対応して、フィット感の判断に使用される画像を表示する。
【００５７】
ＣＰＵ３４は、クライアントコンピュータ本体３１に備えられた各種装置の制御や入出力されるデータの処理を行っている。メモリ３５は、データの書き込みと読み出しができる記憶媒体である。ＮＩＣ３６は、（Ｎｅｔｗｏｒｋ  Ｉｎｔｅｒｆａｃｅ  Ｃａｒｄ）は、クライアントコンピュータ本体３１とネットワーク３との間に設けられ、ネットワーク３とクライアントコンピュータ本体３１との間で実行されるデータの送受信を制御している。ＨＤＤ３７は、（Ｈａｒｄ  Ｄｉｓｋ  Ｄｒｉｖｅ）は、本実施形態に使用されるコンピュータプログラムやデータを格納している。
【００５８】
図４に示されているように、ＨＤＤ３７は、表示プログラム１８と、アクセスプログラム１９と、フィット感判断プログラム３０とを含んで構成されている。表示プログラム１８は、量子化衣料品３次元データＤ３に応答して出力装置３３に表示させる画像（フィット感の判断に使用される画像）を生成する手順を示している。アクセスプログラム１９は、入力装置３２を介して入力される命令に対応して第１データベース１５または第２データベース１６にアクセスする手順を示している。フィット感判断プログラム３０は、フィット感判断領域Ｒ３において、衣料品１０のフィット感を判断するための手順を示している。衣料品３次元データ読み出し装置８は、フィット感判断プログラム３０に示される手順に対応して衣料品ＩＣタグ５から衣料品３次元データＤ１を読み出す。体型３次元データ読み出し装置９は、フィット感判断プログラム３０に示される手順に対応して体型データ記憶装置７から体型３次元データＤ２を読み出す。
【００５９】
以下に、本実施形態のフィット感判断支援システムの動作について説明を行う。以下の説明では、衣料品３次元データＤ１と体型３次元データＤ２が予め生成されている場合に対応して、本実施形態の動作を例示する。図５は、本実施形態における衣料品３次元データ生成領域Ｒ１での動作を例示するフローチャートである。図５を参照すると、衣料品３次元データ生成領域Ｒ１における動作は、形状の計測対象の衣料品１０を、形状の測定が可能な状態で衣料品３次元形状計測装置１１に備えることで開始する。ステップＳ１０１において、衣料品３次元形状計測装置１１は、計測対象の衣料品１０に対し、その立体形状を計測する。
【００６０】
ステップＳ１０２において、衣料品３次元形状計測装置１１は、測定結果に対応して衣料品３次元データＤ１を生成する。ここにおいて、衣料品３次元形状計測装置１１によって生成される衣料品３次元データＤ１は、サーバコンピュータ本体２１またはクライアントコンピュータ本体３１上で衣料品１０を再現することが可能なデータ形式で構成される。ステップＳ１０３において、衣料品３次元形状計測装置１１は、生成した衣料品３次元データＤ１を衣料品データ書き込み装置１３に提供する。ステップＳ１０４において、衣料品データ書き込み装置１３は、提供された衣料品３次元データＤ１に応答して、その衣料品３次元データＤ１を衣料品ＩＣタグ５に格納する。
【００６１】
ステップＳ１０５において、衣料品３次元形状計測装置１１は、生成した衣料品３次元データＤ１をサーバコンピュータ本体２１の第１データベース１５に格納するか否かの判断を実行する。その判断の結果、衣料品３次元データＤ１を第１データベース１５に格納する場合には、処理はステップＳ１０６に進む。また、衣料品３次元データＤ１を第１データベース１５に格納しない場合には、処理は終了する。
【００６２】
ステップＳ１０６において、衣料品３次元形状計測装置１１は、衣料品データ書き込み装置１３を介して、第１データベース１５にアクセスする。衣料品３次元形状計測装置１１は、形状の測定が完了した衣料品１０を識別するための識別子と衣料品３次元データＤ１と関連付けて第１データベース１５に格納する。衣料品３次元形状計測装置１１は、第１データベース１５を更新保存し、処理は終了する。本実施形態では、上述の動作によって、衣料品３次元データＤ１を衣料品ＩＣタグ５に保持させることが可能となる。
【００６３】
図６は、本実施形態における体型３次元データ生成領域Ｒ２での動作を例示するフローチャートである。本実施形態において、体型３次元データ生成領域Ｒ２での動作は、ユーザ（衣料品の購入予定者）が、人体３次元形状計測装置１２の人の立体的な体型を計測するための領域に位置することで開始する。
【００６４】
ステップＳ２０１において、人体３次元形状計測装置１２は、計測対象のユーザの体型を走査し、その立体形状の計測結果を得る。ステップＳ２０２において、人体３次元形状計測装置１２は、その計測結果に対応して体型３次元データＤ２を生成する。ステップＳ２０３において、人体３次元形状計測装置１２は、生成した体型３次元データＤ２を体型データ書き込み装置１４に提供する。ステップＳ２０４において、体型データ書き込み装置１４は、携帯端末６との接続を確立し、その携帯端末６に備えられた体型データ記憶装置７に体型３次元データＤ２を格納する。体型３次元データＤ２を体型データ記憶装置７に格納した後、処理はステップＳ２０５に進む。ステップＳ２０５において、他の姿勢での体型３次元データＤ２を生成するか否かの判断を実行する。その判断の結果、異なる姿勢での体型３次元データＤ２を生成する場合、処理は、ステップＳ２０１に戻る。異なる姿勢での体型３次元データＤ２を生成しない場合、処理はステップＳ２０６に進む。
【００６５】
ステップＳ２０６において、人体３次元形状計測装置１２は、生成した体型３次元データＤ２をサーバコンピュータ本体２１の第２データベース１６に格納するか否かの判断を実行する。その判断の結果、体型３次元データＤ２を第２データベース１６に格納する場合には、処理はステップＳ２０７に進む。また、体型３次元データＤ２を第２データベース１６に格納しない場合には、処理は終了する。
【００６６】
ステップＳ２０７において、人体３次元形状計測装置１２は、体型データ書き込み装置１４を介して、第２データベース１６にアクセスする。人体３次元形状計測装置１２は、体型の測定を行ったユーザを識別するための識別子と体型３次元データＤ２と関連付けて第２データベース１６に格納する。その後、人体３次元形状計測装置１２は第１データベース１５を更新してデータを保存し、処理は終了する。上述の動作によって、体型３次元データ生成領域Ｒ２では、予め体型３次元データＤ２を携帯端末６の体型データ記憶装置７に保持させることが可能となる。
【００６７】
図７は、本実施形態におけるフィット感判断領域Ｒ３での動作を例示するフローチャートである。本実施形態において、フィット感判断領域Ｒ３での動作は、ユーザがフィット感判断プログラム３０を実行すると開始する。ステップＳ３０１において、クライアントコンピュータ本体３１は、フィット感判断プログラム３０に示されている手順に従って、衣料品３次元データ読み出し装置８に対し、衣料品ＩＣタグ５に格納されているデータの読み出しを指示する。衣料品３次元データ読み出し装置８は、その指示に対応して衣料品ＩＣタグ５に格納されているデータを読み出す。ステップＳ３０２において、クライアントコンピュータ本体３１は、衣料品ＩＣタグ５に格納された衣料品３次元データＤ１が適切に読み出されたか否かの判断を実行する。上記ステップＳ３０１における読み出しエラーに起因して、適切に衣料品３次元データＤ１を読み出すことができなかった場合、処理はステップＳ３０３に進む。衣料品３次元データＤ１の読み出しが適切に実行された場合、処理はステップＳ３０５に進む。
【００６８】
ステップＳ３０３において、クライアントコンピュータ本体３１は、フィット感判断プログラム３０に示される手順に従って、アクセスプログラム１９を起動する。クライアントコンピュータ本体３１は、アクセスプログラム１９に示される手順に対応して、サーバコンピュータ本体２１の第１データベース１５にアクセスする。ステップＳ３０４において、クライアントコンピュータ本体３１は、衣料品ＩＣタグ５から読み出したデータに対応して、衣料品１０のＩＤを特定する。クライアントコンピュータ本体３１は、そのＩＤに基づいて、第１データベース１５に格納されている衣料品３次元データＤ１を読み出す。つまり、購入者の操作により、第１データベース１５にアクセスし、現在購入したい衣料品を検索し、該当する商品名及びサイズを選択する。
【００６９】
ステップＳ３０５において、クライアントコンピュータ本体３１は、フィット感判断プログラム３０に示されている手順に従って、体型３次元データ読み出し装置９に対し、体型データ記憶装置７に格納されているデータの読み出しを指示する。体型３次元データ読み出し装置９は、その指示に対応して携帯端末６の体型データ記憶装置７に格納されているデータを読み出す。ステップＳ３０６において、クライアントコンピュータ本体３１は、読み出した衣料品３次元データＤ１と体型３次元データＤ２とをサーバコンピュータ本体２１に送信する。
【００７０】
ステップＳ３０７において、サーバコンピュータ本体２１は、衣料品３次元データＤ１と体型３次元データＤ２の受信に応答して差分量子化プログラム１７を実行する。サーバコンピュータ本体２１は、その差分量子化プログラム１７に示される手順にしたがって、衣料品３次元データＤ１を座標軸として体型３次元データＤ２とその衣料品３次元データＤ１との差分（隙間の長さ）を示す差分データＤ４を生成する。換言すると、サーバコンピュータ本体２１は、原点となる点を基準に、衣料品３次元データＤ１に基づいてコンピュータ上に再現される衣料品（以下、擬似衣料品と呼ぶ。）を構成する複数の点（以下、擬似衣料品構成点と呼ぶ）の位置を特定する。また、体型３次元データＤ２に基づいてコンピュータ上に再現される人体の体型（以下、擬似体型と呼ぶ）を構成する複数の点（以下、擬似体型構成点と呼ぶ。）の位置を特定する。
【００７１】
そして、擬似衣料品を擬似体型に着衣させたとき、擬似衣料品構成点と擬似体型構成点を互いに対応させ、対応する点同士の差分を算出し、その算出結果に基づいて差分データＤ４を生成する。差分データＤ４を生成した後、差分量子化プログラム１７に示される手順に対応して、その差分データＤ４の生成完了に応答して量子化衣料品３次元データＤ３を生成する。具体的には、サーバコンピュータ本体２１は、差分量子化プログラム１７に示される手順に対応して、差分データＤ４が示す差分を数段階のレベルに量子化して量子化衣料品３次元データＤ３を生成する。量子化衣料品３次元データＤ３の生成が完了した後、処理はステップＳ３０８に進む。
【００７２】
ステップＳ３０８において、サーバコンピュータ本体２１は、量子化衣料品３次元データＤ３をネットワーク３を通してクライアントコンピュータシステム２のクライアントコンピュータ本体３１に送る。ステップＳ３０９において、クライアントコンピュータ本体３１は、量子化衣料品３次元データＤ３を受け取ると、表示プログラム１８を起動する。クライアントコンピュータ本体３１は、表示プログラム１８に示される手順に対応して、フィット感の判断をするための画像を生成する。クライアントコンピュータ本体３１は、生成した画像を出力装置３３に表示する。
【００７３】
具体的には、クライアントコンピュータ本体３１は、表示プログラム１８に示される手順に対応して、最適衣料品３次元データＤ５を読み出す。最適衣料品３次元データＤ５は、体型３次元データＤ２に示される体型のユーザが、最も着心地が良いと感じる衣料品（以下、最適衣料品と呼ぶ）のデータである。クライアントコンピュータ本体３１は、最適衣料品３次元データＤ５を基準にして、小さすぎると感じる衣料品（以下、最小衣料品と呼ぶ）と、大きすぎると感じる衣料品（以下、最大衣料品と呼ぶ）とを特定する。クライアントコンピュータ本体３１は、最小衣料品に第１表示色を対応させ、最適衣料品に第２表示色を対応させ、最大衣料品に第３表示色を対応させる。
【００７４】
クライアントコンピュータ本体３１は、第１表示色から第２表示色を経由して第３表示色に至るグラデーションを構成する。クライアントコンピュータ本体３１は、量子化衣料品３次元データＤ３と上記のグラデーションとを対応させ、色表示させた衣料品３次元画像を出力装置３３に表示する。購入予定者はその衣料品３次元画像の色表示のグラデーションによって、実際に試着することなくフィット感を判断することができる。
【００７５】
図８は、本実施形態表示プログラム１８が参照するテーブルの構成を例示する図である。ここにおいて、第１表示色を赤とし、第２表示色を緑とし、さらに、第３表示色を青とした場合を例示して表示プログラム１８の動作を説明する。また、販売される衣料品の規格サイズが、ＳＳ，Ｓ、Ｍ、Ｌ、ＬＬの５段階であり、購入予定者が通常Ｍサイズを着衣している場合、Ｓサイズを最小衣料品とし、Ｌサイズを最大衣料品としてフィット感の判断を実行することが好ましい。また、最適衣料品３次元データＤ５に基づいて再現される擬似最適衣料品を構成する複数の点を、一定比率で延伸させた点に基づいて、最大衣料品を示すデータを最小衣料品を示すデータを生成しても良い。
【００７６】
図８を参照すると、本実施形態において、クライアントコンピュータ本体３１は、表示プログラム１８に示される手順に対応して赤−緑−青のように色彩が変化するグラデーションを構成する。そして、基準となる最適衣料品と最小衣料品との差分を２．０とした場合、その２．０を基準にして０．０、０．１・・・１．９、２．０、２．１・・・３．９、４．０という段階を設定してフィット感判断用のテーブルを構成する。
【００７７】
クライアントコンピュータ本体３１は、量子化衣料品３次元データＤ３に基づいて、出力装置３３に表示する色をグラデーションから抽出する。たとえば、量子化衣料品３次元データＤ３に示される値が１．０の場合、赤と緑の中間の色が抽出される。この動作は、擬似衣料品構成点の各々に対して実行される。したがって、袖はきついが胸まわりはちょうど良いような場合には、擬似衣料品が複数の色で表示されることになる。
【００７８】
上述のような構成・動作によって、本実施形態のフィット感判断支援システムは、購入者が購入しようとしている衣料品が自分の体型にどれだけフィットしているかの度合いを、表示画面上で何階層かに分けた色で表示させ、衣料品の微妙なフィット感を色で確認することができる。
【００７９】
［第２の実施形態]
以下に、図面を参照して本発明のフィット感判断支援システムの第２の実施形態について説明を行う。以下に述べる実施形態において、参照する図面に第１の実施形態と同じ符号が付されている構成要素は、第１の実施形態と同様の構成・動作である。従って、以下の説明において、それらの構成要素に関して、重複する説明を省略するものとする。図９は、フィット感判断支援システムの第２の実施形態の構成を例示するブロック図である。図９を参照すると、第２の実施形態のフィット感判断支援システムは、会員カード４１と、その会員カード４１に添付される体型ＩＣタグ４２とを含んで構成されている。会員カード４１は、本実施形態のフィット感判断支援システムを利用する個人が携帯するカードである。体型ＩＣタグ４２は、体型３次元データＤ２を保持する記憶媒体である。
【００８０】
第２の実施形態のフィット感判断支援システムにおいて、体型３次元データ読み出し装置９は、接触式または非接触式のデータ読み出し方式によって体型ＩＣタグ４２から体型３次元データＤ２を読み出す機能を備えている。また、体型３次元データ生成領域Ｒ２の体型データ書き込み装置１４は、接触式または非接触式のデータ書き込み方式によって体型ＩＣタグ４２に体型３次元データＤ２を書き込む機能を備えている。このような構成にすることで、衣料品１０の購入予定者が携帯端末６を持っていない場合であっても、衣料品１０を実際に試着することなくフィット感の判断を行うことが可能となる。
【００８１】
［第３の実施形態]
以下に、図面を参照して、本発明のフィット感判断支援システムの第３の実施形態について説明を行う。以下に述べる第３の実施形態では、通信販売によって衣料品１０を購入する場合において、その衣料品１０のフィット感を判断することが可能である。なお、以下の説明で参照する図面において、第１または第２の実施形態の説明で参照した図面の符号と同じ符号が付されているものは、その構成・動作が上述の実施形態と同様である。したがって、以下の説明においては、重複する説明を省略するものとする。
【００８２】
図１０は、フィット感判断支援システムの第３の実施形態の構成を例示するブロック図である。第３の実施形態のフィット感判断支援システムは、第１の実施形態と同様に、衣料品３次元データ生成領域Ｒ１と体型３次元データ生成領域Ｒ２とフィット感判断領域Ｒ３とを含んで構成されている。第３の実施形態では、衣料品３次元データＤ１はサーバコンピュータシステム１の第１データベース１５に保持されている。また体型３次元データＤ２はサーバコンピュータシステム１の第２データベース１６に保持されている。
【００８３】
図１０を参照すると、衣料品３次元データ生成領域Ｒ１には、衣料品３次元形状計測装置１１が備えられている。その衣料品３次元形状計測装置１１は、衣料品３次元データ書き込みプログラム４３を備えている。また、体型３次元データ生成領域Ｒ２には、人体３次元形状計測装置１２が備えられている、その人体３次元形状計測装置１２は、体型３次元データ書き込みプログラム４４を備えている。第３の実施形態において、販売される衣料品１０には、第１データベース１５のアドレスを示すバーコードが関連付けられている。また、購入予定者は、第２データベース１６のアドレスを示すバーコードを携行している。
【００８４】
図１０に示されているように、携帯端末６は、撮像装置４５と携帯用表示装置４６とを含んで構成されている。撮像装置４５は、被写体を光学的に撮像する装置であり、撮像した被写体を画像データに変換する機能を備えている。携帯用表示装置４６は、画像を表示する装置であり、購入予定のフィット感の判断に使用される表示画像をカラーで表示する。
【００８５】
以下に、図面を参照して第３の実施形態におけるフィット感判断領域Ｒ３の構成に関し具体的に説明を行う。図１１は、第３の実施形態におけるフィット感判断領域Ｒ３の構成を例示するブロック図である。図１１を参照すると、第３の実施形態におけるサーバコンピュータ本体２１は、商品情報Ｗｅｂページ５２と、フィット感判断用Ｗｅｂページ５３と、データ抽出プログラム５４とを含んで構成されている。商品情報Ｗｅｂページ５２は、販売される衣料品１０と衣料品バーコードＢ１とを関連付けた画面を表示するための記述を含んでいる。フィット感判断用Ｗｅｂページ５３は、衣料品１０を着衣したときのフィット感の判断に用いられる記述を含んでいる。データ抽出プログラム５４は、第１データベース１５または第２データベース１６から、衣料品３次元データＤ１と体型３次元データＤ２とを読み出す手順を示している。
【００８６】
また、第３の実施形態のクライアントコンピュータ本体３１は、Ｗｅｂブラウザ５１を含んでいる。Ｗｅｂブラウザ５１は、出力装置３３で商品情報Ｗｅｂページ５２を閲覧するために使用される。また、第３の実施形態の携帯端末６は、上述の撮像装置４５と携帯用表示装置４６に加え、さらに携帯用ブラウザ４７とバーコード情報読み取りプログラム４８とを含んでいる。携帯用ブラウザ４７は、携帯端末６の携帯用表示装置４６でフィット感判断用Ｗｅｂページ５３を閲覧するために使用される。バーコード情報読み取りプログラム４８は、撮像装置４５が撮像した衣料品バーコードＢ１と体型バーコードＢ２とから、それらに示される情報をデコードする手順を示している。
【００８７】
以下に、第３の実施形態の動作について図面を参照して説明を行う。図１２は、第３の実施形態における衣料品３次元データ生成領域Ｒ１の動作を例示するフローチャートである。第３の実施形態において、ステップＳ１０１とステップＳ１０２の動作は第１の実施形態の動作と同様である。ステップＳ４０１において、衣料品３次元形状計測装置１１は、衣料品３次元データ書き込みプログラム４３を実行する。ステップＳ４０２において、衣料品３次元形状計測装置１１は、衣料品３次元データ書き込みプログラム４３に示される手順に従って、生成した衣料品３次元データＤ１を第１データベース１５に書き込む。このとき、衣料品３次元形状計測装置１１は、データ化対象の衣料品１０を識別するための衣料品ＩＤと衣料品３次元データＤ１とを関連付けた情報をサーバコンピュータ本体２１に送信する。サーバコンピュータ本体２１は、その情報に基づいて第１データベース１５を更新する。
【００８８】
ステップＳ４０３において、衣料品３次元形状計測装置１１は、衣料品３次元データ書き込みプログラム４３に示される手順に対応して衣料品バーコードＢ１を生成する。衣料品３次元形状計測装置１１は、衣料品バーコードＢ１に第１データベース１５のアドレスをデータとして保持させる。また、衣料品３次元形状計測装置１１は、衣料品バーコードＢ１に、衣料品ＩＤをデータとして保持させる。ステップＳ４０４において、衣料品３次元形状計測装置１１は、衣料品バーコードＢ１を表すデータと衣料品ＩＤとをサーバコンピュータ本体２１に送信する。サーバコンピュータ本体２１は、衣料品バーコードＢ１の受信に対応して商品情報Ｗｅｂページ５２を更新する。なお、第３の実施形態の衣料品３次元データ生成領域Ｒ１の動作において、第１データベース１５のアドレスが固定的に定められている場合には、ステップＳ４０３の動作を行うことなく、ステップＳ４０４の動作を実行する。
【００８９】
図１３は、第３の実施形態における体型３次元データ生成領域Ｒ２の動作を例示するフローチャートである。第３の実施形態において、ステップＳ２０１とステップＳ２０２の動作は、第１の実施形態の動作と同様である。ステップＳ５０１において、人体３次元形状計測装置１２は、体型３次元データ書き込みプログラム４４を実行する。ステップＳ５０２において、人体３次元形状計測装置１２は、その体型３次元データ書き込みプログラム４４に示される手順に対応して、生成した体型３次元データＤ２を第２データベース１６に書き込む。このとき、人体３次元形状計測装置１２は、その体型３次元データＤ２が示すユーザを識別するための個人ＩＤと体型３次元データＤ２とを関連付けた情報をサーバコンピュータ本体２１に送信する。サーバコンピュータ本体２１は、その情報に基づいて第２データベース１６を更新する。
【００９０】
ステップＳ５０３において、人体３次元形状計測装置１２は、体型３次元データ書き込みプログラム４４に示される手順に対応して体型バーコードＢ２を生成する。人体３次元形状計測装置１２は、体型バーコードＢ２に第２データベース１６のアドレスをデータとして保持させる。また、人体３次元形状計測装置１２は、体型バーコードＢ２に、上述の個人ＩＤを保持させる。ステップＳ５０４において、体型バーコードＢ２を会員カード４１に添付する。なお、第３の実施形態の体型３次元データ生成領域Ｒ２の動作において、第２データベース１６のアドレスが固定的に定められている場合には、ステップＳ５０３とステップＳ５０４の動作を行うことなく処理は終了する。
【００９１】
図１４は、第３の実施形態におけるフィット感判断領域Ｒ３の動作を例示するフローチャートである。図１４を参照すると、ステップＳ６０１において、ユーザは、クライアントコンピュータシステム２の出力装置３３を用いて、商品情報Ｗｅｂページ５２を閲覧する。ステップＳ６０２において、ユーザは、携帯端末６の撮像装置４５を使用して出力装置３３に表示されている衣料品バーコードＢ１を撮像する。携帯端末６は、撮像された衣料品バーコードＢ１に応答してバーコード情報読み取りプログラム４８を実行し、その衣料品バーコードＢ１に示される衣料品情報（第１データベース１５のアドレスと衣料品ＩＤ）を読み取る。
【００９２】
ステップＳ６０３において、携帯端末６の撮像装置４５を使用して、会員カード４１に添付された体型バーコードＢ２を撮像する。携帯端末６は、撮像された体型バーコードＢ２に応答してバーコード情報読み取りプログラム４８を実行し、その体型バーコードＢ２に示される体型情報（第２データベース１６のアドレスと個人ＩＤ）を読み取る。
【００９３】
ステップＳ６０４において、読み取った情報（衣料品情報と体型情報）をネットワーク３を介してサーバコンピュータ本体２１に送信する。ステップＳ６０５において、サーバコンピュータ本体２１は、携帯端末６から送信された情報の受信に応答してデータ抽出プログラム５４を実行する。ステップＳ６０６において、サーバコンピュータ本体２１は、データ抽出プログラム５４に示されている手順に対応して、第１データベース１５から衣料品３次元データＤ１を読み出す。サーバコンピュータ本体２１は、衣料品情報に含まれる衣料品ＩＤに基づいて、第１データベース１５を参照する。その参照によって、ステップＳ６０７において、サーバコンピュータ本体２１は、衣料品３次元データＤ１を読み出す動作と同様の動作で第２データベース１６から体型３次元データＤ２を読み出す。
【００９４】
ステップＳ６０８において、サーバコンピュータ本体２１は、差分量子化プログラム１７を実行する。サーバコンピュータ本体２１は、第１の実施形態と同様の動作で、差分量子化プログラム１７に示される手順に対応して量子化衣料品３次元データＤ３を生成する。ステップＳ６０９において、サーバコンピュータ本体２１は、量子化衣料品３次元データＤ３の生成完了に応答して表示プログラム１８を実行する。サーバコンピュータ本体２１は、表示プログラム１８に示される手順に対応して表示用の画像データを生成する。
【００９５】
ステップＳ６１０において、サーバコンピュータ本体２１は、その画像データに対応して、フィット感の判断に使用されるフィット感判断用Ｗｅｂページ５３を生成する。ステップＳ６１１において、サーバコンピュータ本体２１は、フィット感判断用Ｗｅｂページ５３の生成完了に応答して、携帯端末６に、フィット感判断用Ｗｅｂページ５３が閲覧可能になった旨の通知を送信する。携帯端末６は、その通知を受け取り、その通知に示されているＵＲＬにアクセスする。そして、携帯用ブラウザ４７を用いて、フィット感判断用Ｗｅｂページ５３を閲覧することで、実際に試着することなく衣料品１０のフィット感を判断することができる。
【００９６】
また、上述してきたように、第３の実施形態のフィット感判断支援システムは、衣料品３次元データＤ１と体型３次元データＤ２とをサーバコンピュータ本体２１に保持している。そのため、ＩＣタグや携帯端末のメモリからの情報の流出を抑制することが可能となる。
【００９７】
なお、上述してきた複数の実施形態では、衣料品３次元データ生成領域Ｒ１、体型３次元データ生成領域Ｒ２およびフィット感判断領域Ｒ３が独立して設けられている構成を例示している。この構成は、本願発明のフィット感判断支援システムの構成を限定するものではない。例えば、衣料品３次元データ生成領域Ｒ１をフィット感判断領域Ｒ３に含ませ、逐次で衣料品３次元データＤ１を生成するような構成であっても良い。また、上述してきた複数の実施形態は、その構成・動作に矛盾が発生しない場合において、組み合わせて実施することが可能である。
【図面の簡単な説明】
【００９８】
【図１】図１は、フィット感判断支援システムにおける、第１の実施形態の構成を例示するブロック図である。
【図２】図２は、第１の実施形態における衣料品３次元データ生成領域Ｒ１のシステム構成を例示するブロック図である。
【図３】図３は、第１の実施形態における体型３次元データ生成領域Ｒ２のシステム構成を例示するブロック図である。
【図４】図４は、第１の実施形態におけるフィット感判断領域Ｒ３のシステム構成を例示するブロック図である。
【図５】図５は、第１の実施形態における衣料品３次元データ生成領域Ｒ１での動作を例示するフローチャートである。
【図６】図６は、第１の実施形態における体型３次元データ生成領域Ｒ２での動作を例示するフローチャートである。
【図７】図７は、第１の実施形態におけるフィット感判断領域Ｒ３での動作を例示するフローチャートである。
【図８】図８は、グラデーションを構成する色を示すテーブルである。
【図９】図９は、第１の発明のフィット感判断支援システムの第２の実施形態の構成を例示するブロック図である。
【図１０】図１０は、本発明のフィット感判断支援システムの第３の実施形態の構成を例示するブロック図である。
【図１１】図１１は、第３の実施形態におけるフィット感判断領域Ｒ３の構成を例示するブロック図である。
【図１２】図１２は、第３の実施形態における衣料品３次元データ生成領域Ｒ１の動作を例示するフローチャートである。
【図１３】図１３は、第３の実施形態における体型３次元データ生成領域Ｒ２の動作を例示するフローチャートである。
【図１４】図１４は、第３の実施形態におけるフィット感判断領域Ｒ３の動作を例示するフローチャートである。
【符号の説明】
【００９９】
Ｒ１…衣料品３次元データ生成領域
Ｒ２…体型３次元データ生成領域
Ｒ３…フィット感判断領域
１…サーバコンピュータシステム
２…クライアントコンピュータシステム
３…ネットワーク
４…商品ラベル
５…衣料品ＩＣタグ
６…携帯端末
７…体型データ記憶装置
８…衣料品３次元データ読み出し装置
９…体型３次元データ読み出し装置
１０…衣料品
１１…衣料品３次元形状計測装置
１２…人体３次元形状計測装置
１３…衣料品データ書き込み装置
１４…体型データ書き込み装置
１５…第１データベース
１６…第２データベース
１７…差分量子化プログラム
１８…表示プログラム
１９…アクセスプログラム
２０…最適衣料品データ生成プログラム
２１…サーバコンピュータ本体
２２…入力装置
２３…出力装置
２４…ＣＰＵ
２５…メモリ
２６…ＮＩＣ
２７…ＨＤＤ
２８…バス
３０…フィット感判断プログラム
３１…クライアントコンピュータ本体
３２…入力装置
３３…出力装置
３４…ＣＰＵ
３５…メモリ
３６…ＮＩＣ
３７…ＨＤＤ
３８…バス
Ｄ１…衣料品３次元データ
Ｄ２…体型３次元データ
Ｄ３…量子化衣料品３次元データ
Ｄ４…差分データ
Ｄ５…最適衣料品３次元データ
４１…会員カード
４２…体型ＩＣタグ
４３…衣料品３次元データ書き込みプログラム
４４…体型３次元データ書き込みプログラム
４５…撮像装置
４６…携帯用表示装置
４７…携帯用ブラウザ
４８…バーコード情報読み取りプログラム
５１…Ｗｅｂブラウザ
５２…商品情報Ｗｅｂページ
５３…フィット感判断用Ｗｅｂページ
５４…データ抽出プログラム
Ｂ１…衣料品バーコード
Ｂ２…体型バーコード
【図１】
2008003850.tif 000003
【図２】
2008003850.tif 000004
【図３】
2008003850.tif 000005
【図４】
2008003850.tif 000006
【図５】
2008003850.tif 000007
【図６】
2008003850.tif 000008
【図７】
2008003850.tif 000009
【図８】
2008003850.tif 000010
【図９】
2008003850.tif 000011
【図１０】
2008003850.tif 000012
【図１１】
2008003850.tif 000013
【図１２】
2008003850.tif 000014
【図１３】
2008003850.tif 000015
【図１４】
2008003850.tif 000016